(57)【特許請求の範囲】
【請求項１】
レンズフードにおける、遮光用筒状部の基端側に設けられるとともに、レンズ鏡筒の外周に対向する内周面において、周方向に沿って複数立設されたフード側爪部と、
前記フード側爪部の両端から周方向に一定距離離間した位置のそれぞれに設けられたフード側突起部と、
前記レンズ鏡筒の先端部の外周において周方向に延びる壁部と、
前記先端部の外周における、前記壁部よりも被写体側において、前記フード側爪部の周方向の長さ以上に互いに離間して周方向に延びる複数のレンズ側爪部と、
前記壁部と前記レンズ側爪部との間を連結する連結部と、を備え、
前記レンズフードが前記レンズ鏡筒の外周に被写体側から差し込まれ、前記フード側爪部が前記レンズ側爪部の離間部分から前記壁部側に挿入され、前記壁部に当接することにより、前記レンズフードの前記レンズ鏡筒に対する光軸に沿った方向の位置が規定された状態で、前記レンズフードが前記レンズ鏡筒に対して相対回転されると、前記フード側爪部が、前記壁部と前記レンズ側爪部との間の隙間に挿入され、前記フード側突起部が前記連結部を乗り越えることによりクリック感を生じるとともに、前記レンズフードが前記レンズ鏡筒に装着されることを特徴とし、且つ、
前記レンズフードの中心軸線から前記フード側爪部の内径側端部までの距離Ｒ１、
前記中心軸線から前記フード側突起部の内径側端部までの距離Ｒ２
前記レンズ鏡筒の光軸から、前記連結部の外径側端部までの距離Ｒ３、
としたときに、
Ｒ３＞Ｒ２＞Ｒ１    の関係を満たし、
前記レンズ鏡筒において、前記レンズ側爪部の周方向の一方の端部に前記連結部が設けられ、前記連結部の前記レンズ側爪部が設けられている側と反対側に、レンズ側突起部が設けられ、
前記光軸から、前記レンズ側突起部の外径側端部までの距離Ｒ４、としたときに、
Ｒ２＞Ｒ４＞Ｒ１    の関係を満たすこと、
を特徴とする前記レンズフードと前記レンズ鏡筒との着脱構造。
【請求項２】
請求項１に記載の着脱構造であって、
前記フード側爪部の周方向端部から前記フード側突起部の前記フード側爪部と反対側の端部までの距離Ｘ、
前記連結部における、前記レンズ側爪部が設けられていない側の端部から、前記レンズ側突起部の前記レンズ側爪部と反対側の端部までの距離Ｙ、としたときに、
Ｙ＞Ｘ    の関係を満たすこと、
を特徴とする着脱構造。
【発明の詳細な説明】
【技術分野】
【０００１】
本発明は、レンズフードとレンズ鏡筒との着脱構造に関するものである。
【背景技術】
【０００２】
従来、有害な光の入射を防止するために、レンズ鏡筒の先端にレンズフードが取り付けられる（たとえば、特許文献１参照）。このようなレンズフードは、光をカットする役割があるため小型化しにくく、また、レンズフード及びレンズ鏡筒の装着部においても、装着の確実さ、しやすさ、及び誤装着防止のための構造が大きくなる傾向がある。
【先行技術文献】
【特許文献】
【０００３】
しかし、近年、カメラ及びその周辺機器の小型化が望まれている。
本発明の課題は、小型化が可能なレンズフードとレンズ鏡筒との着脱構造を提供することである。
【発明の概要】
【発明が解決しようとする課題】
【０００４】
しかし、近年、カメラ及びその周辺機器の小型化が望まれている。
本発明の課題は、小型化が可能なレンズフード、レンズ鏡筒及び着脱構造を提供することである。
【課題を解決するための手段】
【０００５】
本発明は、以下のような解決手段により前記課題を解決する。
【０００６】
請求項１に記載の発明は、レンズフードにおける、遮光用筒状部の基端側に設けられるとともに、レンズ鏡筒の外周に対向する内周面において、周方向に沿って複数立設されたフード側爪部と、前記フード側爪部の両端から周方向に一定距離離間した位置のそれぞれに設けられたフード側突起部と、前記レンズ鏡筒の先端部の外周において周方向に延びる壁部と、前記先端部の外周における、前記壁部よりも被写体側において、前記フード側爪部の周方向の長さ以上に互いに離間して周方向に延びる複数のレンズ側爪部と、前記壁部と前記レンズ側爪部との間を連結する連結部と、を備え、前記レンズフードが前記レンズ鏡筒の外周に被写体側から差し込まれ、前記フード側爪部が前記レンズ側爪部の離間部分から前記壁部側に挿入され、前記壁部に当接することにより、前記レンズフードの前記レンズ鏡筒に対する光軸に沿った方向の位置が規定された状態で、前記レンズフードが前記レンズ鏡筒に対して相対回転されると、前記フード側爪部が、前記壁部と前記レンズ側爪部との間の隙間に挿入され、前記フード側突起部が前記連結部を乗り越えることによりクリック感を生じるとともに、前記レンズフードが前記レンズ鏡筒に装着されることを特徴とし、且つ、前記レンズフードの中心軸線から前記フード側爪部の内径側端部までの距離Ｒ１、前記中心軸線から前記フード側突起部の内径側端部までの距離Ｒ２前記レンズ鏡筒の光軸から、前記連結部の外径側端部までの距離Ｒ３、としたときに、Ｒ３＞Ｒ２＞Ｒ１    の関係を満たし、前記レンズ鏡筒において、前記レンズ側爪部の周方向の一方の端部に前記連結部が設けられ、前記連結部の前記レンズ側爪部が設けられている側と反対側に、レンズ側突起部が設けられ、前記光軸から、前記レンズ側突起部の外径側端部までの距離Ｒ４、としたときに、Ｒ２＞Ｒ４＞Ｒ１    の関係を満たすこと、を特徴とする前記レンズフードと前記レンズ鏡筒との着脱構造である。
請求項２に記載の発明は、請求項１に記載の着脱構造であって、前記フード側爪部の周方向端部から前記フード側突起部の前記フード側爪部と反対側の端部までの距離Ｘ、
前記連結部における、前記レンズ側爪部が設けられていない側の端部から、前記レンズ側突起部の前記レンズ側爪部と反対側の端部までの距離Ｙ、としたときに、Ｙ＞Ｘ    の関係を満たすこと、を特徴とする着脱構造である。
【発明の効果】
【０００７】
本発明によれば、小型化が可能な着脱構造を提供することができる。
【図面の簡単な説明】
【０００８】
【図１】本発明の一実施形態を適用したレンズフードを斜め背面側から見た斜視図である。
【図２】レンズフードの背面図である。
【図３】レンズフードが装着されるレンズ鏡筒を斜め前面側から見た斜視図である。
【図４】レンズフードのレンズ鏡筒への装着を説明する図である。
【図５】レンズフードがレンズ鏡筒に装着された状態を示す説明図である。
【図６】レンズフードのレンズ鏡筒への装着部位の拡大断面図である。
【図７】第２実施形態に係るレンズフードのレンズ鏡筒への装着を説明する図である。
【図８】第２実施形態に係るレンズフードがレンズ鏡筒に装着された状態を示す説明図である。
【図９】第２実施形態に係るレンズフードをレンズ鏡筒に対して装着回転方向とは逆方向に回転させた状態を示す説明図である。
【図１０】第３実施形態に係るレンズフードのレンズ鏡筒への装着を説明する図である。
【図１１】第３実施形態に係るレンズフードのレンズ鏡筒への装着を説明する図である。
【発明を実施するための形態】
【０００９】
（第１実施形態）
以下、図面等を参照して、本発明の実施形態について説明する。
図１は、本発明の一実施形態を適用したレンズフード１０を斜め背面側から見た斜視図である。図２は、レンズフード１０の背面図である。図３は、レンズフード１０が装着されるレンズ鏡筒２０を斜め前面側から見た斜視図である。図４は、レンズフード１０のレンズ鏡筒２０への装着を説明する図であって、（ａ）はレンズ鏡筒２０の先端部の周面を展開して示す図、（ｂ）は（ａ）のＢ−Ｂ断面に相当する図である。
図５は、レンズフード１０がレンズ鏡筒２０に装着された状態を示す説明図であって、（ａ）はレンズ鏡筒２０の先端部の周面を展開して示す図、（ｂ）は（ａ）のＣ−Ｃ断面に相当する図である。図６は、レンズフード１０のレンズ鏡筒２０への装着部位の拡大断面図であって、（ａ）は使用状態を、（ｂ）は収納状態をそれぞれ示す。
【００１０】
なお、以下に示す各図には、説明と理解を容易にするために、ＸＹＺ直交座標系を設けた。
この座標系では、それぞれカメラボディに装着された状態において撮影者が光軸を水平として横長の画像を撮影する場合のカメラの位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。
Ｚ軸は、カメラボディおよびレンズ鏡筒２０の光軸ＯＡに一致する。また、Ｚ軸プラス方向を前側、Ｚ軸マイナス方向を後側とも言う。
【００１１】
レンズフード１０は、全体形状が略有底円筒状であって、円筒状の遮光部１０Ａの底に相当する基底板部１０Ｂに、所定径の装着開口１０Ｃが形成されている。
装着開口１０Ｃの内周面には、後述するレンズ鏡筒２０の嵌合部２０Ｂに係合する爪部１０Ｄが設けられている。
爪部１０Ｄは、装着開口１０Ｃの軸心Ｏ（Ｚ軸に一致）に対して点対称に一対（２組）配設されている。つまり、爪部１０Ｄは、装着開口１０Ｃの内周に所定間隔を有して２組配設され、両爪部１０Ｄの間はそれぞれ周方向に所定角度範囲の不形成域となっている。
【００１２】
爪部１０Ｄは、内爪１１と、周方向前後一対のクリック突起１２Ａ，１２Ｂと、を備えている。
内爪１１は、装着開口１０Ｃの内周面の幅（Ｚ軸方向の厚さ）より薄い板状であって、装着開口１０Ｃの内周面に軸心Ｏを中心する周方向所定角度範囲で突出形成されている。
【００１３】
この爪１１の厚さ（Ｚ軸方向の厚さ）は、後述するレンズ鏡筒２０における嵌合溝２１の幅より所定の公差で小さい。
また、内爪１１の先端面（内周面）の軸心Ｏを中心とする半径は、後述するレンズ鏡筒２０における嵌合溝２１の底周面より所定の公差で大きく設定されている。
なお、図１および図２に示すように、内爪１１の周方向中央は製造の容易性より窪みが形成されている。
【００１４】
クリック突起１２Ａ，１２Ｂは、装着開口１０Ｃの内周面の、内爪１１と同一円周上の周方向前後両側に、それぞれ所定間隔を有して突設されている。クリック突起１２Ａは、後側から見て反時計回り方向（前側から見て時計回り方向、図４中矢印Ｒで示す方向）である内爪１１の装着回転方向前方側に設けられ、クリック突起１２Ｂは、装着回転方向後方側に設けられている。
ここで、クリック突起１２Ａ，１２Ｂの形状および内爪１１に対する配設位置関係は同様であり、以下、特に必要がある場合を除いてクリック突起１２として説明する。
【００１５】
クリック突起１２は、周方向前後の端面がそれぞれ所定角度の傾斜面とされ、レンズフード１０の中心軸方向（Ｚ軸方向）に見ると先すぼまりとなる台形に形成されている。
クリック突起１２の中心軸方向（Ｚ軸方向）における幅は、内爪１１と等しく、クリック突起１２と内爪１１の周方向における間隔は、後述するレンズ鏡筒２０における係合壁２４の周方向の幅と対応している。
【００１６】
クリック突起１２の先端面（内周面）は、後述するレンズ鏡筒２０における係合壁２４の先端面（外周面）より所定量内周側に位置し、レンズフード１０をレンズ鏡筒２０に装着する際においてその先端部が係合壁２４と径方向において所定量干渉するように設定されている。
【００１７】
すなわち、図４中に示すように、クリック突起１２の先端面（内周面）の軸心Ｏを中心とする半径：Ｒ２は、内爪１１の先端面（内周面）の半径：Ｒ１より大きく、後述するレンズ鏡筒２０における係合壁２４の先端面（外周面）の半径：Ｒ３より小さい。
従って、これらの寸法関係は、
Ｒ３＞Ｒ２＞Ｒ１
となっている。
【００１８】
クリック突起１２と対応する基底板部１０Ｂには、変形許容スリット１０Ｅが周方向所定角度範囲で形成されている。これにより、レンズフード１０をレンズ鏡筒２０に装着する際において、クリック突起１２の形成部位が変形許容スリット１０Ｅによって径方向に弾性変形し、クリック突起１２は所定の抵抗で係合壁２４を乗り越えることができるようになっている。
【００１９】
一方、レンズフード１０が装着されるレンズ鏡筒２０は、最も前方側に位置するレンズ筒２０Ａの先端に、レンズフード１０における爪部１０Ｄが係合する嵌合部２０Ｂを備えている。
【００２０】
嵌合部２０Ｂは、レンズフード１０における爪部１０Ｄと対応して、レンズ鏡筒２０の光軸ＯＡ（＝Ｚ軸）に対して点対称に一対（２組）配設されている。つまり、嵌合部２０Ｂは、レンズ筒２０Ａの先端部外周に所定間隔を有して２組配設され、両嵌合部２０Ｂの間は、それぞれレンズフード１０における爪部１０Ｄの周方向角度範囲より周方向に広い開放域となっている。
【００２１】
嵌合部２０Ｂは、係止リング部２２と、外爪２３と、係合壁２４とで、レンズフード１０における爪部１０Ｄの内爪１１が摺動移動可能に嵌合する嵌合溝２１を形成している。
係止リング部２２は、所定幅で所定高さの板状のリブであって、レンズ筒２０Ａの前面から後側に所定間隔有した位置に、周方向に連続して形成されている。
【００２２】
外爪２３は、所定幅の板状のリブであって、係止リング部２２の前側に周方向に所定角度範囲で突出形成されている。外爪２３の前面はレンズ筒２０Ａの先端面と一致しており、外爪２３の先端面（外周面）の光軸ＯＡを中心とする半径は係止リング部２２と等しい。外爪２３の周方向における形成角度範囲は、内爪１１の周方向角度範囲と略対応（本構成例では僅かに大きい）している。
【００２３】
係合壁２４は、外爪２３の前側から見て時計回り方向前方側の端部と、係止リング部２２とを、連結して形成されている。係合壁２４の先端面（外周面）の光軸ＯＡを中心とする半径は、係止リング部２２および外爪２３と等しい。係合壁２４の周方向における幅は、当該係合壁２４がレンズフード１０における内爪１１とクリック突起１２との間に嵌合し得るように設定されている。
【００２４】
上記のように、嵌合溝２１は、係止リング部２２と、外爪２３と、係合壁２４とに囲まれて形成されている。つまり、嵌合溝２１は、係止リング部２２と外爪２３とによって光軸方向における幅が規定されると共に、係合壁２４によって前面側から見て時計回り方向の端部が規定されて形成され、前面側から見て時計回り方向の端部は周方向に開放している。嵌合溝２１の幅および底面（周面）の径は、レンズフード１０の内爪１１が摺動移動可能に嵌合可能に設定されている。
【００２５】
上記構成のレンズフード１０は、下記のようにしてレンズ鏡筒２０に装着される。
まず、図４に示すように、レンズフード１０を、その軸心Ｏを光軸ＯＡに一致させると共に爪部１０Ｄをレンズ鏡筒２０の嵌合部２０Ｂが形成されていない開放域に対応させて、レンズ鏡筒２０に前面側から外挿する。レンズフード１０における爪部１０Ｄの内爪１１が、レンズ鏡筒２０における嵌合部２０Ｂの係止リング部２２に当接した状態で、爪部１０Ｄの内爪１１と嵌合部２０Ｂの嵌合溝２１のＺ軸方向における位置が一致する。
【００２６】
そして、レンズフード１０をレンズ鏡筒２０に対して前面側から見て時計回り（図４中矢印Ｒで示す）の装着回転方向に回転操作する。
これにより、爪部１０Ｄの内爪１１が嵌合部２０Ｂの嵌合溝２１に嵌合し、やがて回転方向前方側のクリック突起１２Ａが嵌合部２０Ｂの係合壁２４を乗り越え、図５に示すように、内爪１１とクリック突起１２Ａの間に係合壁２４が位置した係止状態となる。
クリック突起１２が係合壁２４を乗り越える際には、レンズフード１０の基底板部１０Ｂが弾性変形し、これによってクリック感が生じ、操作者は係合を感知できる。
【００２７】
上記のようなレンズフード１０のレンズ鏡筒２０への装着構造では、レンズフード１０における爪部１０Ｄは、内爪１１の同一円周上の周方向前後にクリック突起１２Ａ，１２Ｂを備えているため、図６に示すように、同一の内爪１１を用いてレンズフード１０を前後逆に装着することができる。
【００２８】
つまり、図６（ａ）に示すレンズフード１０の開放側を前側とする通常使用時における装着状態に対して、不使用時にはレンズフード１０をレンズ鏡筒２０に被せるように前後逆に装着して携帯することが行われるが、このように前後逆に装着する場合にも図６（ｂ）に示すように同一の内爪１１を嵌合部２０Ｂの嵌合溝２１に嵌合させることができる。この場合には、前後逆の状態において装着回転方向前方側に位置するクリック突起１２Ｂが、嵌合部２０Ｂの係合壁２４に係止状態となる。
【００２９】
これにより、レンズフード１０を前後逆に装着可能とするための専用の内爪を備える必要が無く、レンズフード１０の装着部位を軸方向においてコンパクトに構成できる。そして、これらの内爪１１とクリック突起１２とが同一円周上に一列に並ぶのでフードの軸方向の長さの小型化が可能となる。
【００３０】
また、装着される側のレンズ鏡筒２０についても、レンズフード１０が通常装着された状態において前後逆に装着可能とするための専用の内爪を逃げるスペースが不要となり、光軸方向にコンパクトに構成できる。
【００３１】
（第２実施形態）
つぎに、図７〜図１０を参照して本発明の第２実施形態を説明する。
図７は、レンズフード１０のレンズ鏡筒２０への装着を説明する図であって、（ａ）はレンズ鏡筒２０の先端部の周面を展開して示す図、（ｂ）は（ａ）のＤ−Ｄ断面に相当する図である。図８は、レンズフード１０がレンズ鏡筒２０に装着された状態を示す説明図であって、（ａ）はレンズ鏡筒２０の先端部の周面を展開して示す図、（ｂ）は（ａ）のＥ−Ｅ断面に相当する図である。図９は、レンズフード１０をレンズ鏡筒２０に対して装着回転方向とは逆方向に回転させた状態を示す説明図であって、（ａ）はレンズ鏡筒２０の先端部の周面を展開して示す図、（ｂ）は（ａ）のＦ−Ｆ断面に相当する図である。図１０は、図９のＧ部拡大図である。
【００３２】
本第２実施形態では、レンズ鏡筒２０における嵌合部２０Ｂの係合壁２４の外側（嵌合溝２１とは逆側）に、規制突起２５を備えている。なお、本第２実施形態の基本構成は、前述した第１実施形態と同じであり、同機能の構成要素には同符号を付して説明は省略する。
【００３３】
規制突起２５は、図７〜図１０に示すように、レンズフード１０をレンズ鏡筒２０に対して図７中矢印Ｒで示す装着回転方向とは逆方向（図７中矢印ＵＲで示す方向）に回転させた状態において、内爪１１の端面が当接してそれ以上の係合壁２４（嵌合溝２１）への接近を規制するものである。なお、前述した第１実施形態における図３にも、規制突起２５を二点鎖線で示してある。
【００３４】
すなわち、図１０に示すように、規制突起２５は、係合壁２４の周方向外側に一体に形成されており、周方向における長さ：Ｌ２は、爪部１０Ｄにおける内爪１１の端面からクリック突起１２の外側（内爪１１と反対側の端）まで距離：Ｌ１より長く設定されている。
【００３５】
また、規制突起２５の先端面（外周面）の光軸ＯＡを中心とする半径：Ｒ４は、内爪１１の先端面（内周面）の軸心Ｏを中心とする半径：Ｒ１より大きく且つクリック突起１２の先端面（内周面）半径：Ｒ２より小さく設定されている。
クリック突起１２の先端面（内周面）の軸心Ｏを中心とする半径：Ｒ２は、前述した第１実施形態と同様に係合壁２４の先端面（外周面）の光軸ＯＡを中心とする半径：Ｒ３より小さい。
【００３６】
従って、これらの寸法関係は、
Ｌ２＞Ｌ１
であり、また、
Ｒ３＞Ｒ２＞Ｒ４＞Ｒ１
となっている。
【００３７】
これにより、図７に示すレンズフード１０をレンズ鏡筒２０に前面側から外挿した状態から、誤って装着作用方向とは逆に前面側から見て反時計回り（図７中矢印ＵＲで示す方向））に回転操作してしまった場合でも、爪部１０Ｄのクリック突起１２Ｂが嵌合部２０Ｂの係合壁２４を逆側（嵌合溝２１の外側）から乗り越えてしまうことがない。
【００３８】
つまり、レンズフード１０を誤って装着作用方向とは逆に図７中矢印ＵＲで示す方向に回転操作すると、図９に示すように爪部１０Ｄにおける内爪１１の移動方向前方側の端面が規制突起２５に当接し、規制突起２５が内爪１１（レンズフード１０）のそれ以上の回転を阻止する。
【００３９】
規制突起２５の周方向における長さ：Ｌ２は、レンズフード１０における内爪１１の端面からクリック突起１２Ｂの外側まで距離：Ｌ１より長く設定されている。
従って、クリック突起１２Ｂが逆側（外側）から嵌合溝２１内へと係合壁２４を乗り越えることはなく、クリック感は生じない。また、係合壁２４を乗り越えたクリック突起１２Ｂのみが嵌合溝２１内に位置する疑似装着状態にもならない。
【００４０】
一方、図７に示す状態から、レンズフード１０を前面側から見て時計回りの装着作用方向（図７中矢印Ｒで示す方向）に回転操作すると、図８に示すように、爪部１０Ｄの内爪１１が嵌合部２０Ｂの嵌合溝２１に嵌合する。
そして、クリック突起１２Ａが係合壁２４を乗り越え、内爪１１とクリック突起１２Ａの間に係合壁２４が位置した係止状態となる。
【００４１】
この係止状態では、クリック突起１２Ａは規制突起２５と径方向に重なることになるが、前述したように、規制突起２５の先端面（外周面）の光軸ＯＡを中心とする半径：Ｒ４は、内爪１１の先端面（内周面）の軸心Ｏを中心とする半径：Ｒ１より大きく、両者は干渉することなく位置できる。
上記のレンズフード１０の装着状況は、レンズフード１０を前後逆にしてレンズ鏡筒２０に装着する場合においても全く同様である。
【００４２】
（第３実施形態）
つぎに、図１０を参照して本発明の第３実施形態を説明する。
図１０は、レンズフード１０のレンズ鏡筒２０への装着を説明する図であって、（ａ）はレンズ鏡筒２０の先端部の周面を展開して示す図、（ｂ）は（ａ）のＨ−Ｈ断面に相当する図である。
【００４３】
本第３実施形態は、前述した第１実施形態とは、レンズ鏡筒２０における嵌合部２０Ｃの構成が異なり、レンズフード１０を前側から見て時計回りまたは反時計回りのいずれの方向に回転操作しても、レンズ鏡筒２０に装着し得るように構成されている。その他の構成は前述した第１実施形態と同様であり、同機能の構成要素には同符号を付して説明は省略する。
【００４４】
本第３実施形態におけるレンズ鏡筒２０における嵌合部２０Ｃは、係合壁２４を挟んで周方向両側に、嵌合溝２１Ａ，２１Ｂが対称に形成されている。
すなわち、係合壁２４を中心として周方向両側に対称に外爪２３Ａ，２３Ｂが延設されており、それぞれ嵌合溝２１Ａ，２１Ｂを形成している。
【００４５】
この構成によれば、レンズフード１０を前側から見て時計回り（図１１中矢印Ｒ）に回転操作すると、爪部１０Ｄの内爪１１が嵌合部２０Ｃの嵌合溝２１Ａに嵌合し、クリック突起１２Ａが係合壁２４を乗り越えて、内爪１１とクリック突起１２Ａの間に係合壁２４が位置した係止状態となる。
【００４６】
一方、レンズフード１０をレンズ鏡筒２０に対して前面側から見て反時計回り（図１１中矢印Ｒ′）に回転させた場合には、爪部１０Ｄの内爪１１が嵌合部２０Ｃの嵌合溝２１Ｂに嵌合し、クリック突起１２Ｂが係合壁２４を乗り越えて、内爪１１とクリック突起１２Ｂの間に係合壁２４が位置した係止状態となる。
【００４７】
つまり、レンズフード１０を前側から見て時計回りまたは反時計回りのいずれの方向に回転操作しても、レンズフード１０（爪部１０Ｄ）をレンズ鏡筒２０（嵌合部２０Ｃ）に係合させることができる。これは、レンズフード１０を前後逆にしてレンズ鏡筒２０に装着する場合においても全く同様である。
【００４８】
以上、本実施形態によると、以下の効果を有する。
（１）本実施形態におけるレンズフード１０のレンズ鏡筒２０への装着構造では、レンズフード１０における爪部１０Ｄは、内爪１１の同一円周上の周方向前後にクリック突起１２Ａ，１２Ｂを備えているため、同一の内爪１１を用いてレンズフード１０を前後逆に装着することができる。
【００４９】
これにより、レンズフード１０を前後逆に装着可能とするための専用の内爪を備える必要が無く、レンズフード１０の装着部位を軸方向においてコンパクトに構成できる。また、装着される側のレンズ鏡筒２０についても、レンズフード１０が通常装着された状態において前後逆に装着可能とするための専用の内爪を逃げるスペースが不要となり、光軸方向にコンパクトに構成できる。
そして、これらの内爪１１とクリック突起１２とが同一円周上に一列に並ぶのでフードの軸方向の長さの小型化が可能となる。
【００５０】
（２）第２実施形態におけるレンズフード１０のレンズ鏡筒２０への装着構造では、レンズ鏡筒２０における嵌合部２０Ｂの係合壁２４の外側に、規制突起２５を備えている。この規制突起２５が、レンズフード１０をレンズ鏡筒２０に対して装着回転方向とは逆方向に回転させた状態において、内爪１１の係合壁２４（嵌合溝２１）への接近を規制する。
【００５１】
これにより、レンズフード１０をレンズ鏡筒２０に対して装着回転方向とは逆方向に回転させても、クリック突起１２Ｂが逆側（外側）から嵌合溝２１内へと係合壁２４を乗り越えることはなく、クリック感は生じない。
また、係合壁２４を乗り越えたクリック突起１２Ｂのみが嵌合溝２１内に位置する疑似装着状態にもならない。
従って、使用者に正しく装着されたとの誤解を与えることが無く、不慮のレンズフード１０の脱落等の不慮の不具合を防ぐことができる。
【００５２】
（３）第３実施形態におけるレンズフード１０のレンズ鏡筒２０への装着構造では、レンズ鏡筒２０における嵌合部２０Ｃは、係合壁２４を挟んで周方向両側に、嵌合溝２１Ａ，２１Ｂが対称に形成されている。
これにより、レンズフード１０を時計回りまたは反時計回りのいずれの方向に回転操作してもレンズ鏡筒２０に装着することができ、装着操作性が良い。
【００５３】
（変形形態）
以上、説明した実施形態に限定されることなく、以下に示すような種々の変形や変更が可能であり、それらも本発明の範囲内である。
本実施形態では、レンズフード１０における爪部１０Ｄと、レンズ鏡筒２０における嵌合部２０Ｂとは、それぞれ２組備えている。しかし、爪部１０Ｄおよび嵌合部２０Ｂは２組に限らず、３組以上としても良い。
【００５４】
なお、実施形態及び変形形態は、適宜組み合わせて用いることもできるが、詳細な説明は省略する。また、本発明は以上説明した実施形態によって限定されることはない。
【符号の説明】
【００５５】
１０：レンズフード、１０Ａ：遮光部、１０Ｂ：基底板部、１０Ｃ：装着開口、１０Ｄ：爪部、１１：内爪、１２（１２Ａ，１２Ｂ）：クリック突起、２０：レンズ鏡筒、２０Ｂ，２０Ｃ：嵌合部、２１：嵌合溝、２２：係止リング部、２３：外爪、２４：係合壁、２５：規制突起、２３Ａ，２３Ｂ：外爪、Ｏ：軸心、ＯＡ：光軸
【図１】
0005899723.tif 000002
【図２】
0005899723.tif 000003
【図３】
0005899723.tif 000004
【図４】
0005899723.tif 000005
【図５】
0005899723.tif 000006
【図６】
0005899723.tif 000007
【図７】
0005899723.tif 000008
【図８】
0005899723.tif 000009
【図９】
0005899723.tif 000010
【図１０】
0005899723.tif 000011
【図１１】
0005899723.tif 000012